(57)【特許請求の範囲】
【請求項１】
被処理基板に所定の処理を施す基板処理装置の消費エネルギーを監視する基板処理装置の消費エネルギー監視システムであって、
前記基板処理装置において各レシピに基づいて実行されるプロセス処理に関するプロセス処理データを収集するデータ収集器と、
前記プロセス処理のうちエネルギーの消費を伴う個々のイベントと、当該イベントの発生によって消費される単位時間当たりのエネルギー量との関係を示す消費エネルギーデータを格納する記憶手段と、
エネルギーの消費を伴うイベントの発生を検出し、当該イベントの継続時間と、前記記憶手段に記憶された当該イベントの単位時間当たりの消費エネルギーデータとから消費エネルギー量を積算して算出する手段と
を具備したことを特徴とする基板処理装置の消費エネルギー監視システム。
【請求項２】
請求項１記載の基板処理装置の消費エネルギー監視システムであって、
前記基板処理装置における消費エネルギーを計測するための各種センサの測定データを用いることなく、消費エネルギーを算出する
ことを特徴とする基板処理装置の消費エネルギー監視システム。
【請求項３】
請求項１又は２記載の基板処理装置の消費エネルギー監視システムであって、
前記基板処理装置における処理のうちエネルギーの消費を伴うイベントと、当該イベントの発生によって消費されるエネルギー量との関係を示す消費エネルギーデータを登録する手段
を具備したことを特徴とする基板処理装置の消費エネルギー監視システム。
【請求項４】
請求項１〜３いずれか１項記載の基板処理装置の消費エネルギー監視システムであって、
前記基板処理装置で消費される消費エネルギーの実測値に基づいて、前記記憶手段に記憶された消費エネルギーデータを修正する手段
を具備したことを特徴とする基板処理装置の消費エネルギー監視システム。
【請求項５】
請求項１〜４いずれか１項記載の基板処理装置の消費エネルギー監視システムであって、
前記基板処理装置が、被処理基板を洗浄する基板洗浄装置、被処理基板にフォトレジストの塗布及び現像を行う塗布現像装置、被処理基板のエッチングを行うエッチング装置、被処理基板に成膜する成膜装置、被処理基板に熱処理を施す熱処理装置のいずれかである
ことを特徴とする基板処理装置の消費エネルギー監視システム。
【請求項６】
被処理基板に所定の処理を施す基板処理装置の消費エネルギーを監視する基板処理装置の消費エネルギー監視方法であって、
前記基板処理装置において各レシピに基づいて実行されるプロセス処理に関するプロセス処理データを収集する工程と、
前記プロセス処理のうちエネルギーの消費を伴う個々のイベントと、当該イベントの発生によって消費される単位時間当たりのエネルギー量との関係を示す消費エネルギーデータを記憶手段に格納する工程と、
エネルギーの消費を伴うイベントの発生を検出し、当該イベントの継続時間と、前記記憶手段に記憶された当該イベントの単位時間当たりの消費エネルギーデータとから消費エネルギー量を積算して算出する工程と
を具備したことを特徴とする基板処理装置の消費エネルギー監視方法。
【請求項７】
請求項６記載の基板処理装置の消費エネルギー監視方法であって、
前記基板処理装置における処理のうちエネルギーの消費を伴うイベントと、当該イベントの発生によって消費されるエネルギー量との関係を示す消費エネルギーデータを登録する工程
を具備したことを特徴とする基板処理装置の消費エネルギー監視方法。
【請求項８】
請求項６又は７記載の基板処理装置の消費エネルギー監視方法であって、
前記基板処理装置で消費される消費エネルギーの実測値に基づいて、前記記憶手段に記憶された消費エネルギーデータを修正する工程
を具備したことを特徴とする基板処理装置の消費エネルギー監視方法。
【発明の詳細な説明】
【技術分野】
【０００１】
本発明は、基板処理装置の消費エネルギー監視システム及び基板処理装置の消費エネルギー監視方法に関する。
【背景技術】
【０００２】
従来から、半導体デバイスやフラットパネルディスプレイ用基板あるいは太陽電池パネル等の製造においては多数の基板処理装置が使用されている。例えば、半導体デバイスの製造においては、半導体ウエハの洗浄装置、塗布現像装置、エッチング装置、成膜装置、熱処理装置等の各種の基板処理装置が使用されている（例えば、特許文献１参照。）。このような基板処理装置は、その基板処理工程において多くのエネルギーを必要とする。そのため基板処理装置には、環境負荷低減および基板処理コストの低減等の観点から、省エネルギーを図ることが求められており、その消費エネルギーを把握すること等が求められている。【０００３】
基板処理装置において、その消費エネルギーを表示しようとすると、実際に使用されている電力量等を測定するためのセンサを配設するとともに、センサから測定データを収集するためのデータ収集器を配設し、センサによって測定された値に基づいて消費エネルギーを表示することになる。
【先行技術文献】
【特許文献】
【０００４】
【特許文献１】特開２０１２−１９１５６号公報
【発明の概要】
【発明が解決しようとする課題】
【０００５】
上記のように基板処理装置において消費エネルギーを表示するためには、多数のセンサ及びセンサから測定データを収集するためのデータ収集器を配設する必要があり、装置の製造コストの上昇を招くという問題があった。
本発明は、上記従来の事情に対処してなされたものであり、装置の製造コストの上昇を抑制しつつ消費エネルギーの監視を行うことのできる基板処理装置の消費エネルギー監視システム及び基板処理装置の消費エネルギー監視方法を提供することを目的とする。
【課題を解決するための手段】
【０００６】
本発明の基板処理装置の消費エネルギー監視システムの一態様は、被処理基板に所定の処理を施す基板処理装置の消費エネルギーを監視する基板処理装置の消費エネルギー監視システムであって、前記基板処理装置において各レシピに基づいて実行されるプロセス処理に関するプロセス処理データを収集するデータ収集器と、前記プロセス処理のうちエネルギーの消費を伴う個々のイベントと、当該イベントの発生によって消費される単位時間当たりのエネルギー量との関係を示す消費エネルギーデータを格納する記憶手段と、エネルギーの消費を伴うイベントの発生を検出し、当該イベントの継続時間と、前記記憶手段に記憶された当該イベントの単位時間当たりの消費エネルギーデータとから消費エネルギー量を積算して算出する手段とを具備したことを特徴とする。
【０００７】
本発明の基板処理装置の消費エネルギー監視方法の一態様は、被処理基板に所定の処理を施す基板処理装置の消費エネルギーを監視する基板処理装置の消費エネルギー監視方法であって、前記基板処理装置において各レシピに基づいて実行されるプロセス処理に関するプロセス処理データを収集する工程と、前記プロセス処理のうちエネルギーの消費を伴う個々のイベントと、当該イベントの発生によって消費される単位時間当たりのエネルギー量との関係を示す消費エネルギーデータを記憶手段に格納する工程と、エネルギーの消費を伴うイベントの発生を検出し、当該イベントの継続時間と、前記記憶手段に記憶された当該イベントの単位時間当たりの消費エネルギーデータとから消費エネルギー量を積算して算出する工程とを具備したことを特徴とする。
【発明の効果】
【０００８】
本発明によれば、製造コストの上昇を抑制しつつ消費エネルギーの監視を行うことのできる基板処理装置の消費エネルギー監視システム及び基板処理装置の消費エネルギー監視方法を提供することができる。
【図面の簡単な説明】
【０００９】
【図１】本発明の一実施形態の構成を示す図。
【図２】消費エネルギー量の計算方法の例を説明するための図。
【図３】消費エネルギー登録画面の例を示す図。
【発明を実施するための形態】
【００１０】
以下、本発明の実施形態を、図面を参照して説明する。
【００１１】
図１は、本発明の一実施形態に係る基板処理装置の消費エネルギー監視システムの構成を模式的に示す図である。図１において、１００は、基板処理装置の消費エネルギー監視システムであり、１１０は、基板処理装置、本実施形態では半導体ウエハの洗浄装置である。
【００１２】
基板処理装置（半導体ウエハの洗浄装置）１１０は、半導体ウエハを吸着保持して回転可能とされたスピンチャック、このスピンチャック上に保持された半導体ウエハの表面に洗浄用の薬液やリンス用の純水等を供給するための複数のノズル、スピンチャック上に保持された半導体ウエハの周囲を囲繞するように配設されたカップ等の周知の洗浄装置の構成を具備している。
【００１３】
そして、スピンチャック上に保持された半導体ウエハに複数のノズルから洗浄用の薬液及びリンス用の純水等を供給し、また、半導体ウエハを回転させることによって、薬液及びリンス用の純水等を振り切ることによって、半導体ウエハの洗浄及び乾燥を行うよう構成されている。
【００１４】
なお、基板処理装置１１０としては、洗浄装置の他、例えば、半導体ウエハ（被処理基板）にフォトレジストの塗布及び現像を行う塗布現像装置、半導体ウエハ（被処理基板）のエッチングを行うエッチング装置、半導体ウエハ（被処理基板）に成膜する成膜装置、半導体ウエハ（被処理基板）に熱処理を施す熱処理装置等に適用することができる。
【００１５】
基板処理装置の消費エネルギー監視システム１００は、データ収集器１０１、トレースデータデータベース１０２、バーチャルエンジン１０３、モニター１０４、モニタデータベース１０５を具備している。
【００１６】
基板処理装置１１０のＩ／Ｏポート１１１からは、基板処理装置１１０において各レシピに基づいて実行されるプロセス処理に関するプロセス処理データ１１２が出力される。この基板処理装置１１０からのプロセス処理データ１１２は、基板処理装置の消費エネルギー監視システム１００のデータ収集器１０１に入力され、トレースデータデータベース１０２に格納される。
【００１７】
バーチャルエンジン１０３は、基板処理装置１１０における処理のうちエネルギーの消費を伴うイベントと、当該イベントの発生によって消費されるエネルギー量との関係を示す消費エネルギーデータを格納する記憶手段と、基板処理装置１１０からデータ収集器１０１に入力され、トレースデータデータベース１０２に格納されたプロセス処理データからエネルギーの消費を伴うイベントの発生を検出し、当該イベントの継続時間と、記憶手段に記憶された当該イベントの消費エネルギーデータとから消費エネルギー量を積算して算出する手段とを具備している。
【００１８】
すなわち、バーチャルエンジン１０３は、トレースデータデータベース１０２に格納されたプロセス処理データ１１２に基づいて、プロセス処理で実行されるイベントとその継続時間とを所定時間毎、本実施形態では１秒毎に検出する。そして、記憶手段にイベント毎に予め登録されている単位時間当たりの消費エネルギー量（消費エネルギーデータ）と、イベントの継続時間とから消費エネルギー量を積算してイベントが継続している間に消費される消費エネルギー量を算出する。
【００１９】
モニター１０４は、バーチャルエンジン１０３によって算出された消費エネルギー量を集計してモニタデータベース１０５に保存するとともに、保存したデータの表示を行う。
【００２０】
バーチャルエンジン１０３における消費エネルギー量の算出では、例えば、図２に示すように、プロセス処理で実行されるイベント（図２に示されるセンサイベント）の発生の有無を検出し、センサイベントがオンの期間、仮想データとしての消費エネルギーの積算を行う。
【００２１】
なお、図２において左端部分には、年月日及び時間が示されており、その右隣りには装置ステータスが示されている。図２に示された装置ステータスは「プロセッシング」であるが、図２中右側に示す消費エネルギー登録例の部位に示されているとおり、装置ステータスとしては、プロセスを実行中であることを示す「プロセッシング」の他、起動中であることを示す「スタートアップ」、アイドリング中であることを示す「アイドル」等がある。
【００２２】
上記の消費エネルギー登録例に示されているとおり、センサイベントがオンの際に消費される単位時間当たりのエネルギー消費量は、消費エネルギーデータとして予め登録しておく。図２に示す消費エネルギー登録例では、装置ステータスが「スタートアップ」の時は０（Ｌ／ｍｉｎ）、「アイドル」時は０（Ｌ／ｍｉｎ）、「プロセッシング」の時は１．５（Ｌ／ｍｉｎ）となっている。この例では、仮想データの単位がＬ／ｍｉｎと流量の単位になっているので、後述するように１秒当たりのエネルギー量に換算して消費エネルギー量を算出する。
【００２３】
また、図２には、実データについても記載されているが、実データの場合イベント条件の指定がないので、全期間の実測値を積算することになる。なお、図２に示す例では、実データについても単位がＬ／ｍｉｎとなっているので、上述した仮想データの場合と同様に、１秒当たりのエネルギー量に換算して消費エネルギー量を算出する。
【００２４】
図３は、バーチャルエンジン１０３における消費エネルギー量の登録画面の一例を示している。図３に示す登録画面の例では、ユニットネーム、アイテムネーム等によって対象を特定する。そして、コンバージョンパターン及びコンバージョンファクター等によって、前述した流量から消費エネルギー量に換算する際に使用する式及び数値等を登録する。この登録された内容については、バーチャルエンジン１０３内の記憶手段に記憶され、消費エネルギー量の算出の際に呼び出されて使用される。
【００２５】
図３に示す例では、コンバージョンパターンは、
Quantity×Factor／１０００
であり、コンバージョンファクターは
０．２６００（ｋｗｈ／ｍ３）
である。また、変数Ｘは１．００００、変数Ｙは１．００００である。
【００２６】
そして、装置のステータスが、「スタートアップ」、「アイドリング」、「プロセッシング」の際に夫々使用する数値を登録する。図３に示す例では、「スタートアップ」時及び「アイドリング」時は、０．００００（Ｌ／ｍｉｎ）であり、「プロセッシング」時は１．５０００（Ｌ／ｍｉｎ）である。
【００２７】
上記構成の基板処理装置の消費エネルギー監視システム１００では、基板処理装置１１０に、消費エネルギーを計測するための各種のセンサ及びこれらのセンサから測定データを収集するためのデータ収集器を配設することなく、基板処理装置１１０において各レシピに基づいて実行されるプロセス処理に関するプロセス処理データ１１２を入力することで、基板処理装置１１０の消費エネルギー量を仮想的に算出し表示することができる。
【００２８】
したがって、基板処理装置１１０の製造コストの上昇を抑制しつつ消費エネルギーの監視を行うことができる。
【００２９】
ところで、上述した基板処理装置の消費エネルギー監視システム１００では、消費エネルギーを計測するための各種のセンサを用いることなく、消費エネルギー量を仮想的に算出し表示する構成となっている。このため、算出される消費エネルギー量が、消費エネルギー量の実測値とずれる可能性がある。このため、任意のタイミングで較正を行い消費エネルギー量の実測値と仮想的に算出される消費エネルギー量とが精度良く一致するように補正を行うことが好ましい。
【００３０】
この場合、例えば、基板処理装置１１０の保全作業を行うタイミング等において、基板処理装置１１０の各部に消費エネルギー量を測定するためのセンサを設置する。そして、これらのセンサによって測定される消費エネルギー量と、基板処理装置の消費エネルギー監視システム１００で仮想的に算出される消費エネルギー量とが一致するように、バーチャルエンジン１０３によって消費エネルギー量を算出する際のパラメータ等を変更する。これによって、基板処理装置の消費エネルギー監視システム１００で仮想的に算出される消費エネルギー量を、実測される消費エネルギー量に精度良く一致させることができる。
【００３１】
なお、本発明は、上述した実施形態に限定されるものではなく、各種の変形が可能であることは勿論である。例えば、上述した実施形態では、基板処理装置１１０と別体で基板処理装置の消費エネルギー監視システム１００を配設した場合について説明したが、基板処理装置の消費エネルギー監視システム１００を基板処理装置１１０内に組み込んで配設することもできる。また、この場合、基板処理装置１１０の動作を制御するための制御用コンピュータ内に、トレースデータデータベース１０２、バーチャルエンジン１０３、モニター１０４、モニタデータベース１０５の機能を持たせるようにすることができる。
【００３２】
さらに、バーチャルエンジン１０３において消費エネルギー量を算出するためのモデルは、上述したものに限らず他のモデルであってもよい。
【産業上の利用可能性】
【００３３】
本発明の基板処理装置の消費エネルギー監視システムは、半導体デバイスやフラットパネルディスプレイ用基板あるいは太陽電池パネル等の製造分野等で利用することができる。したがって、産業上の利用可能性を有する。
【符号の説明】
【００３４】
１００……基板処理装置の消費エネルギー監視システム、１０１……データ収集器、１０２……トレースデータデータベース、１０３……バーチャルエンジン、１０４……モニター、１０５……モニタデータベース、１１０……基板処理装置、１１１……Ｉ／Ｏポート、１１２……プロセス処理データ。
【図１】
0005992994.tif 000002
【図２】
0005992994.tif 000003
【図３】
0005992994.tif 000004